(57)【要約】【課題】把手２の把手係合部２２の支持片２２ｃに係合口１２ｂへの挿入を阻止する挿入阻止部２２ｄを設けることにより、把手２の取り付け方をユーザが誤るおそれのない把手付蓄電池を提供する。【解決手段】各把手取付部１２は、蓋板１１の端部上面に開口され、把手２の帯体２１が通る引出口１２ａと、この蓋板１１の端部側面に開口され、奥でこの引出口１２ａと連通する係合口１２ｂと、これら引出口１２ａと係合口１２ｂとの間で梁状となり中央部に間隙が設けられた梁部１２ｃとを備え、各把手係合部２２は、把手２の帯体２１の端部に固着され、把手取付部１２の係合口１２ｂに嵌入する係合片２２ａと、この係合片２２ａの上方に間隔を開け、帯体２１の端側の連結部２２ｂを介して配置されたものであって、係合口１２ｂへの挿入を阻止する挿入阻止部２２ｄが設けられた支持片２２ｃとを備えた構成とする。【選択図】図１
2007220555.tif 000002
【特許請求の範囲】
【請求項１】
蓄電池上部に形成された第一の係合手段と帯状把手に形成された第二の係合手段とが係合してなる把手付蓄電池において、第一の係合手段と第二の係合手段との係合方法に異方性があることを特徴とする、把手付蓄電池。
【請求項２】
電池ケースの上端開口部を塞ぐ蓋板の両端部に把手取付部を形成すると共に、帯状把手に固着された把手係合部を、これらの把手取付部にそれぞれ係合する把手付蓄電池において、
各把手取付部は、蓋板の端部上面に開口され、帯状把手が通る引出口と、この蓋板の端部側面に開口され、奥でこの引出口と連通する係合口と、これら引出口と係合口との間で梁状となり中央部に間隙が設けられた梁部とを備え、
各把手係合部は、帯状把手に固着され、把手取付部の係合口に嵌入する係合片と、この係合片の上方に間隔を開け、帯状把手の端側の連結部を介して配置されたものであって、係合口への挿入を阻止する挿入阻止部が設けられた支持片とを備えたことを特徴とする把手付蓄電池。
【発明の詳細な説明】
【技術分野】
【０００１】
本発明は、持ち運びのための帯状把手を備えた鉛蓄電池等のような把手付蓄電池に関するものである。
【背景技術】
【０００２】
図４に示すように、自動車用の鉛蓄電池１は、持ち運びを容易にするために、帯状の把手２を取り付ける場合がある（例えば、特許文献１〜３参照。）。この把手２は、軟質帯状の樹脂繊維織物からなる帯体２１の左右の両端部に固着された硬質樹脂からなる把手係合部２２、２２を、鉛蓄電池１の蓋板１１の左右の両端部に形成された把手取付部１２、１２にそれぞれ係合することにより、着脱自在に取り付けられる。各把手取付部１２は、蓋板１１の端部の上面に開口された引出口１２ａと、この蓋板１１の端部の側面に開口され、奥で引出口１２ａと連通する係合口１２ｂと、これら引出口１２ａと係合口１２ｂとの間で梁状となり中央部に間隙が設けられた梁部１２ｃとからなる。また、各把手係合部２２は、把手２の帯体２１の端部の周囲を覆うと共に、幅方向の両側に突出するように固着された硬質樹脂の成形体である。
【０００３】
上記把手２は、把手係合部２２、２２よりも中央側の帯体２１を、各把手取付部１２の梁部１２ｃの間隙の間から挿入して、図４に示すように、連通する引出口１２ａと係合口１２ｂに通す。そして、帯体２１の中央を上方に引き上げると共に、各把手係合部２２を係合口１２ｂに嵌入させて係合することにより取り付けられる。ここで、各把手取付部１２の係合口１２ｂは、把手係合部２２を挿入できるように幅広に開口しているが、引出口１２ａは、帯体２１は通すものの、把手係合部２２は通り抜けることができないような狭い幅に開口している。従って、把手２は、両端部の把手係合部２２、２２が蓋板１１の両側の把手取付部１２、１２に係合されるので、帯体２１の中央を引き上げることにより鉛蓄電池１を持ち上げることができるようになる。
【０００４】
ただし、上記把手２の構造では、鉛蓄電池１の荷重のほとんどが把手取付部１２の梁部１２ｃに加わるので、破損のおそれがあった。つまり、鉛蓄電池１は、発電要素を収納した電槽１３の上端開口部を蓋板１１で塞いでいる。しかも、規格上の制約のために、この蓋板１１の上下方向の高さが制限されている。従って、この高さ制限により、把手取付部１２の梁部１２ｃを十分に太くすることができないために、係合された把手係合部２２に押されて、この梁部１２ｃの間隙側の先端が上方に湾曲して折れるおそれが生じる。
【０００５】
そこで、従来から、図５に示すように、把手２の各把手係合部２２を、係合片２２ａと連結部２２ｂと支持片２２ｃとで構成する発明がなされていた。この把手係合部２２の係合片２２ａは、図４に示した把手係合部２２と同様の構成であり、把手２の帯体２１の端部の周囲を覆うと共に、幅方向の両側に突出するように固着されている。支持片２２ｃは、係合片２２ａと同形状であり、この係合片２２ａの上方に、把手取付部１２の梁部１２ｃの上下の高さよりもわずかに広い間隔を開けて配置される。連結部２２ｂは、これら係合片２２ａと支持片２２ｃを帯体２１の端部側で繋ぐものである。従って、把手係合部２２は、前後方向から見るとコの字形をした硬質樹脂の成形体となり、係合片２２ａと連結部２２ｂと支持片２２ｃは、この樹脂成形により一体的に形成される。
【０００６】
上記把手２も、両端部の把手係合部２２、２２よりも中央側の帯体２１を、把手取付部１２の梁部１２ｃの中央部の間隙から挿入して、図５に示すように、連通する引出口１２ａと係合口１２ｂに通す。そして、把手２の帯体２１の中央を上方に引き上げると共に、各把手係合部２２の係合片２２ａを係合口１２ｂに挿入して係合することにより取り付けられる。また、この際、支持片２２ｃは、梁部１２ｃの上方にほとんど隙間なく配置される。従って、図６（ａ）に示すように、梁部１２ｃは、下方の係合片２２ａと上方の支持片２２ｃとの間で抱え込まれるようになるので、帯体２１の中央を引き上げることにより鉛蓄電池１を持ち上げたときに、梁部１２ｃの間隙側の先端が上方に湾曲して折れるというようなことがなくなり、この鉛蓄電池１の荷重を確実に支持することができるようになる。
【０００７】
ところが、上記のように把手係合部２２に係合片２２ａの他に支持片２２ｃが形成されると、図６（ｂ）に示すように、ユーザが誤って、把手２の表裏を逆にして、帯体２１を把手取付部１２の引出口１２ａと係合口１２ｂに通すことなく、支持片２２ｃをこの係合口１２ｂに挿入して取り付けるおそれが生じる。そして、このような誤った方法で把手２を鉛蓄電池１に取り付けて持ち上げると、支持片２２ｃが係合口１２ｂから抜け落ちて鉛蓄電池１が落下するおそれがあるという問題が発生する。
【特許文献１】特開２００５−５１５６号公報
【特許文献２】特開２００５−２０９４０９号公報
【特許文献３】特開２００５−２１６６５５号公報
【発明の開示】
【発明が解決しようとする課題】
【０００８】
本発明は、蓄電池への把手の取り付け方をユーザが誤るおそれのない把手付蓄電池を提供しようとするものである。
【課題を解決するための手段】
【０００９】
請求項１の発明は、蓄電池上部に形成された第一の係合手段と帯状把手に形成された第二の係合手段とが係合してなる把手付蓄電池において、第一の係合手段と第二の係合手段との係合方法に異方性があることを特徴とする。
【００１０】
請求項２の発明は、電池ケースの上端開口部を塞ぐ蓋板の両端部に把手取付部を形成すると共に、帯状把手に固着された把手係合部を、これらの把手取付部にそれぞれ係合する把手付蓄電池において、各把手取付部は、蓋板の端部上面に開口され、帯状把手が通る引出口と、この蓋板の端部側面に開口され、奥でこの引出口と連通する係合口と、これら引出口と係合口との間で梁状となり中央部に間隙が設けられた梁部とを備え、各把手係合部は、帯状把手に固着され、把手取付部の係合口に嵌入する係合片と、この係合片の上方に間隔を開け、帯状把手の端側の連結部を介して配置されたものであって、係合口への挿入を阻止する挿入阻止部が設けられた支持片とを備えたことを特徴とする。
【発明の効果】
【００１１】
請求項１の発明によれば、第一の係合手段と第二の係合手段との係合方法に異方性があるので、ユーザが誤った手順により第一の係合手段と第二の係合手段の係合を行うおそれがなくなる。ここで、係合方法の異方性とは、予め定められた手順で係合を行った場合にのみ係合が可能となる性質をいう。
【００１２】
請求項２の発明によれば、支持片に挿入阻止部が設けられるので、この支持片を係合口に挿入することができないようになる。従って、ユーザは、誤ってこの支持片を係合口に挿入し、把手の取り付け方を間違うようなおそれがなくなる。挿入阻止部は、支持片が係合口に挿入されるのを阻止できるものであれば、どのような形状でもよいので、例えば支持片の厚さを、係合口の開口部よりも厚くなるように増やしたものでもよいし、この支持片の上面に突起を設けてもよく、この支持片の幅を係合口の開口部よりも広くしてもよい。
【発明を実施するための最良の形態】
【００１３】
以下、本発明の最良の実施形態について図１〜図３を参照して説明する。なお、これらの図においても、図４〜図６に示した従来例と同様の機能を有する構成部材には同じ番号を付記する。
【００１４】
本実施形態は、図１に示すように、従来例と同様の自動車用の鉛蓄電池１について説明する。この鉛蓄電池１は、図４〜図６に示した従来例と全く同じ構成である。従って、樹脂製の電槽１３の上端開口部を塞ぐ樹脂製の蓋板１１の左右両端部には、引出口１２ａと係合口１２ｂと梁部１２ｃとを備えた把手取付部１２、１２が形成されている。
【００１５】
把手取付部１２の引出口１２ａは、蓋板１１の左右の端部の上面に開口する前後に細長い方形の穴であり、下方に向けて蓋板１１を貫通することなく途中まで穿設されている。係合口１２ｂは、蓋板１１の左右の端部の側面に開口する前後に細長い方形の穴であり、左右方向に向けて穿設されて、奥で引出口１２ａと連通している。また、この係合口１２ｂの前後の幅は、引出口１２ａの前後の幅よりも十分に広くなっている。ただし、図４に示した従来例とは異なり、図５及び図６に示した従来例や本実施例では、次ぎに説明する把手２の把手係合部２２が引出口１２ａを通り抜けるおそれはないので、この引出口１２ａの大きさを係合口１２ｂより小さくする必要はない。梁部１２ｃは、これら引出口１２ａと係合口１２ｂとの間の角部が梁状となった前後に細長い角柱であり、前後の中央部に間隙が設けられている。
【００１６】
上記鉛蓄電池１は、持ち運びを容易にするための把手２を備えている。この把手２は、帯体２１の両端部に把手係合部２２、２２を固着したものである。帯体２１は、図４〜図６に示した従来例と同じ構成の軟質帯状の樹脂繊維織物からなる。そして、各把手係合部２２は、図５及び図６に示した従来例と同様に、係合片２２ａと連結部２２ｂと支持片２２ｃとを一体成形した硬質樹脂の成形体である。
【００１７】
把手係合部２２の係合片２２ａは、図５及び図６に示した従来例と同じ構成であり、帯体２１の端部の周囲を覆うと共に、前後の幅方向の両側に突出するように固着されている。即ち、この把手係合部２２は、上下の厚さが帯体２１よりも少し厚く、幅は十分に広いほぼ方形板状であり、この厚さと幅は、把手取付部１２の係合口１２ｂの上下の高さと前後の幅よりも少し小さくなって嵌入可能となっている。また、この係合片２２ａは、前後方向の両端部が帯体２１の左右の中央側に向けて突出して、その内側の端面から引き出される帯体２１を保護している。
【００１８】
支持片２２ｃも、図５及び図６に示した従来例と同様に、係合片２２ａの上方に、把手取付部１２の梁部１２ｃの上下の高さよりもわずかに広い間隔を開けて配置されたものであり、上方からの投影形状はこの係合片２２ａと同じである。そして、連結部２２ｂも、図５及び図６に示した従来例と同じ構成であり、帯体２１の左右の端側で上下の係合片２２ａと支持片２２ｃとを繋ぐように、樹脂成形によって一体的に形成されたものである。また、この連結部２２ｂは、補強のために、前後の中央部分が左右の中央側に向けて、梁部１２ｃの間隙よりも少し狭い幅で突出している。
【００１９】
ただし、上記支持片２２ｃには、図５及び図６に示した従来例とは異なり、挿入阻止部２２ｄが設けられている。本実施形態の挿入阻止部２２ｄは、支持片２２ｃの上面に、この支持片２２ｃと同一形状を上方に向けて突出させた部分によって構成されている。従って、この挿入阻止部２２ｄを含む支持片２２ｃの全体形状は、上方からの投影形状が係合片２２ａと同じであるが、上下の厚さがこの係合片２２ａよりも、挿入阻止部２２ｄの分だけ十分に厚くなっている。
【００２０】
上記構成の鉛蓄電池１は、把手２の把手係合部２２、２２よりも中央側の帯体２１を、各把手取付部１２の梁部１２ｃの間隙の間から挿入して、図１に示すように、連通する引出口１２ａと係合口１２ｂに通す。そして、図２及び図３（ａ）に示すように、帯体２１の中央を上方に引き上げると共に、各把手係合部２２の係合片２２ａを係合口１２ｂに嵌入させて係合することにより、把手２を取り付ける。また、各把手係合部２２の支持片２２ｃも、梁部１２ｃの上方を覆うように配置されるので、この把手係合部２２全体で梁部１２ｃを抱え込むように係合されることになる。従って、把手２の帯体２１の中央を引き上げることにより鉛蓄電池１を持ち上げたときに、梁部１２ｃの間隙側の先端が上方に湾曲して折れるというようなことがなくなり、この鉛蓄電池１の荷重を確実に支持して持ち運ぶことができるようになる。
【００２１】
しかも、図３（ｂ）に示すように、ユーザが誤って、把手２の表裏を逆にして、帯体２１を把手取付部１２の引出口１２ａと係合口１２ｂに通すことなく、支持片２２ｃをこの係合口１２ｂに挿入しようとしても、支持片２２ｃに挿入阻止部２２ｄが設けられているために、この挿入が不可能となる。従って、本実施形態の把手付蓄電池は、ユーザが誤った方法で把手２を鉛蓄電池１に取り付けるのを防ぐことができるので、把手２の把手係合部２２の係合が外れて鉛蓄電池１が持ち運び中に落下するというおそれを確実になくすことができる。
【００２２】
なお、上記実施形態では、支持片２２ｃを上方に厚くして挿入阻止部２２ｄを設けた場合を示したが、この挿入阻止部２２ｄは、支持片２２ｃの係合口１２ｂへの挿入を阻止するものであれば、構成は任意であり、例えば支持片２２ｃの上面の一部に上方への突起を設けたものでもよく、また、この支持片２２ｃの前後の幅を広げたものであってもよい。さらに、支持片２２ｃは、係合片２２ａと同一形状である必要はなく、挿入阻止部２２ｄと一体になって、係合口１２ｂへの挿入が不可能な任意の形状とすることもできる。
【００２３】
また、上記実施形態では、把手２の帯体２１が軟質帯状の樹脂繊維織物である場合を示したが、ある程度フレキシブルな薄い樹脂板等のように、帯状のものであれば材質は限定されない。また、この帯体２１は、把手係合部２２、２２を固着する両端部が帯状であればよいので、手で持つ中央部は、円柱状やその他の持ち手として用いる通常の形状のものであってもよく、さらに、この持ち手部分は硬質の材質で形成してもよい。
【００２４】
また、上記実施形態では、把手取付部１２の引出口１２ａや係合口１２ｂを方形の穴とし、梁部１２ｃを方形の梁状としたが、これらの形状は任意である。さらに、把手係合部２２の係合片２２ａや支持片２２ｃの形状も、係合口１２ｂ等の形状に応じて任意に変更可能である。
【００２５】
また、上記実施形態では、把手取付部１２の係合口１２ｂに把手係合部２２の係合片２２ａを係合する場合を示したが、これらの係合方法に異方性があれば、係合手段の構成は任意である。係合方法の異方性とは、予め定められた手順で係合を行った場合にのみ係合が可能となる性質をいい、特定の向きで係合を行う場合にのみ係合が可能となる場合も含む。
【００２６】
また、上記実施形態では、電槽１３の上端開口部を蓋板１１で塞いだ構成の鉛蓄電池１について説明したが、電池ケースの構成は任意である。さらに、上記実施形態では、自動車用の鉛蓄電池１について説明したが、ある程度質量の大きい蓄電池であれば、この蓄電池の用途や種類は限定されない。
【図面の簡単な説明】
【００２７】
【図１】本発明の一実施形態を示すものであって、把手付鉛蓄電池の全体斜視図である。
【図２】本発明の一実施形態を示すものであって、把手を取り付けた鉛蓄電池の上部を示す斜視図である。
【図３】本発明の一実施形態を示すものであって、把手の把手係合部を鉛蓄電池の蓋板の把手取付部に正しく係合した状態（ａ）と誤って係合しようとした状態（ｂ）を示す部分拡大縦断面正面図である。
【図４】従来例を示すものであって、把手付鉛蓄電池の全体斜視図である。
【図５】他の従来例を示すものであって、把手付鉛蓄電池の上部を示す斜視図である。
【図６】他の従来例を示すものであって、把手の把手係合部を鉛蓄電池の蓋板の把手取付部に正しく係合した状態（ａ）と誤って係合した状態（ｂ）を示す部分拡大縦断面正面図である。
【符号の説明】
【００２８】
１      鉛蓄電池
１１    蓋板
１２    把手取付部
１２ａ  引出口
１２ｂ  係合口
１２ｃ  梁部
１３    電槽
２      把手
２１    帯体
２２    把手係合部
２２ａ  係合片
２２ｂ  連結部
２２ｃ  支持片
２２ｄ  挿入阻止部
【図１】
2007220555.tif 000003
【図２】
2007220555.tif 000004
【図３】
2007220555.tif 000005
【図４】
2007220555.tif 000006
【図５】
2007220555.tif 000007
【図６】
2007220555.tif 000008